(57)【要約】【課題】光源ランプと送気ポンプとを内蔵する内視鏡用光源装置において、思い切った小型化が可能になり、しかも送気ポンプから外部への漏洩騒音を抑制することができる内視鏡用光源装置を提供すること。【解決手段】内視鏡に照明光を供給するための光源ランプ３と、内視鏡に加圧空気を供給するための送気ポンプ１０とを内蔵し、光源ランプ３を冷却する冷却風を通すための風洞５内に光源ランプ３が配置された内視鏡用光源装置において、送気ポンプ１０を風洞５内に配置した。【選択図】      図１
2005342270.tif 000002
【特許請求の範囲】
【請求項１】
内視鏡に照明光を供給するための光源ランプと、上記内視鏡に加圧空気を供給するための送気ポンプとを内蔵し、上記光源ランプを冷却する冷却風を通すための風洞内に上記光源ランプが配置された内視鏡用光源装置において、
上記送気ポンプを上記風洞内に配置したことを特徴とする内視鏡用光源装置。
【請求項２】
上記光源ランプが上記風洞内の冷却風流入口付近に配置されて、上記風洞内に冷却風を流すための冷却ファンが上記風洞内の冷却風排出口付近に配置され、上記送気ポンプが上記風洞内における上記冷却ファン寄りの位置に配置されている請求項１記載の内視鏡用光源装置。
【請求項３】
上記送気ポンプが、上記風洞内で吸い込んだ空気を送気パイプを介して上記風洞外に送り出す請求項１又は２記載の内視鏡用光源装置。
【発明の詳細な説明】
【技術分野】
【０００１】
この発明は内視鏡用光源装置に関する。
【背景技術】
【０００２】
内視鏡用光源装置には一般に、内視鏡に照明光を供給するための光源ランプと、内視鏡に加圧空気を供給するための送気ポンプとが内蔵されていて、光源ランプは、冷却用の風を通すための風洞内に配置されている（例えば、特許文献１）。
【特許文献１】特開２００１−３２１３３０
【発明の開示】
【発明が解決しようとする課題】
【０００３】
図３は、上述のような従来の内視鏡用光源装置を示しており、光源装置全体を囲む筐体９１内に風洞９２が配置されて、光源ランプ９３と冷却ファン９４が風洞９２の両端部に分かれて配置され、風洞９２の外部には送気ポンプ９５等が配置されている。
【０００４】
したがって、光源装置を小型化しようとする場合、風洞９２の大きさと送気ポンプ９５の大きさによって光源装置の最小サイズが規制されて、光源装置を一定以下の大きさに小型化することができず、入院患者のベッドサイドなどで内視鏡検査を行う場合に光源装置の運搬や設置等が煩わしい場合があった。
【０００５】
また、内視鏡用光源装置においては、騒音発生源として送気ポンプ９５が最も大きな要素であり、光源装置を小型化しようとする際等に、外部に漏れる送気ポンプ９５の作動音を小さくするのが難しかった。
【０００６】
そこで本発明は、思い切った小型化が可能になり、しかも送気ポンプから外部への漏洩騒音を抑制することができる内視鏡用光源装置を提供することを目的とする。
【課題を解決するための手段】
【０００７】
上記の目的を達成するため、本発明の内視鏡用光源装置は、内視鏡に照明光を供給するための光源ランプと、内視鏡に加圧空気を供給するための送気ポンプとを内蔵し、光源ランプを冷却する冷却風を通すための風洞内に光源ランプが配置された内視鏡用光源装置において、送気ポンプを風洞内に配置したものである。
【０００８】
なお、光源ランプが風洞内の冷却風流入口付近に配置されて、風洞内に冷却風を流すための冷却ファンが風洞内の冷却風排出口付近に配置され、送気ポンプが風洞内における冷却ファン寄りの位置に配置されていれば、送気ポンプが光源ランプから放射される熱を直接受けないので好ましい。
【０００９】
また、送気ポンプが、風洞内で吸い込んだ空気を送気パイプを介して風洞外に送り出すようにするとよい。
【発明の効果】
【００１０】
本発明によれば、光源ランプを収容している風洞内に送気ポンプも収容したことにより、風洞外のスペースを大幅に小さくすることができるので、光源装置を従来に比べて格段に小型化して、入院患者のベッドサイドで内視鏡検査を行う場合等に光源装置の運搬や設置等を非常に容易に行うことができる。
【００１１】
また、送気ポンプが風洞によって囲まれた状態に配置され、送気ポンプから発生する騒音の音波が冷却ファンによりある程度打ち消されて外部に送り出されるので、送気ポンプから外部への漏洩騒音を抑制して病室等で静かに使用することができる。
【発明を実施するための最良の形態】
【００１２】
内視鏡に照明光を供給するための光源ランプと、内視鏡に加圧空気を供給するための送気ポンプとを内蔵し、光源ランプを冷却する冷却風を通すための風洞内に光源ランプが配置された内視鏡用光源装置において、送気ポンプを風洞内に配置した。
【実施例】
【００１３】
図面を参照して本発明の実施例を説明する。
図１は、筐体１によって外面が囲まれた内視鏡用光源装置の平面断面図であり、その前面パネルに配置されているコネクタ受け２に、内視鏡のライトガイドコネクタ２０が差し込み接続自在になっている。
【００１４】
筐体１内には、ライトガイドコネクタ２０がコネクタ受け２に差し込まれた状態の時にそのライトガイドコネクタ２０の端面に照明光を収束させて内視鏡に照明光を供給する光源ランプ３が配置されている。４は、光源ランプ３から発生する熱を周囲に放散させるために光源ランプ３に取り付けられたヒートシンクである。
【００１５】
そのようなヒートシンク４を冷却風の流れの中に置くために、冷却風の流路となるトンネル状の細長い風洞５が筐体１内に配置されていて、光源ランプ３とそれに取り付けられているヒートシンク４が風洞５内の冷却風流入口５ａ付近に配置されている。風洞５の冷却風流入口５ａは筐体１内の空間に大きく開口した状態に配置されている。
【００１６】
風洞５の冷却風排出口７は、外部に向かって開口する状態に筐体１に形成されていて、その内側位置に冷却ファン６が配置されている。また、外気を筐体１内に取り込むための冷却風流入口８が、風洞５の外部に位置する部分の筐体１に形成されている。
【００１７】
したがって、冷却ファン６を図示されていないモータにより回転駆動することにより、冷却風となる外気が冷却風流入口８から筐体１内に流入し、その冷却風が風洞５内を通って冷却風排出口７から外部に排出される途中で、風洞５内のヒートシンク４から熱を奪って光源ランプ３を冷却する。なお、図１に示される矢印はいずれも冷却風の流れを示している。
【００１８】
そのような風洞５内の、冷却ファン６寄りの位置に送気ポンプ１０が配置されている。したがって、光源ランプ３とヒートシンク４から送気ポンプ１０が直接受ける熱の影響は小さい。そして、送気ポンプ１０が風洞５内で吸い込んだ空気を筐体１外に送り出すための送気パイプ１１が、筐体１内において、風洞５の内部から外部に引き出されて配管されている。
【００１９】
送気パイプ１１の出口に接続された送気口金１２は筐体１の外面部分に外方に向けて取り付けられており、図示されていない内視鏡の送水タンクがその送気ポンプ１０に接続されて、内視鏡と送水タンクとに加圧空気が供給される。
【００２０】
このように構成された実施例の内視鏡用光源装置は、光源ランプ３を収容している風洞５内に送気ポンプ１０も収容したことにより、風洞５外のスペースを大幅に小さくすることができるので、筐体１を従来に比べて格段に小型化して、入院患者のベッドサイドで内視鏡検査を行う場合等に光源装置の運搬や設置等を容易に行うことができる。
【００２１】
また、送気ポンプ１０が風洞５によって囲まれた状態に配置され、送気ポンプ１０から発生する騒音の音波が冷却ファン６によりある程度打ち消されて筐体１外に送り出されるので、送気ポンプ１０から外部への漏洩騒音を抑制して病室等で静かに使用することができる。
【００２２】
図２は、本発明の第２の実施例の内視鏡用光源装置を示しており、冷却風排出口７の外側に排気の向きを曲げるルーバー１３を設けたものである。このように構成することにより、排気の方向を横方向（又は下方向等）に曲げると同時に、漏洩騒音を一段と抑制することができる。
【図面の簡単な説明】
【００２３】
【図１】本発明の第１の実施例の内視鏡用光源装置の平面断面図である。
【図２】本発明の第２の実施例の内視鏡用光源装置の平面断面図である。
【図３】従来の内視鏡用光源装置の平面断面図である。
【符号の説明】
【００２４】
１  筐体
３  光源ランプ
４  ヒートシンク
５  風洞
６  冷却ファン
７  冷却風排出口
８  冷却風流入口
１０  送気ポンプ
１１  送気パイプ
１２  送気口金
２０  ライトガイドコネクタ
【図１】
2005342270.tif 000003
【図２】
2005342270.tif 000004
【図３】
2005342270.tif 000005